(57)【要約】【課題】画像をモニタに表示する際に、患者への説明を容易に行う。【解決手段】種々の所見と画像処理パラメータＰとを対応付けたテーブルＴを記憶手段２に記憶しておく。入力手段１から所見を入力すると、画像処理手段３はテーブルＴに基づいて、その所見に適した画像処理パラメータＰを取得する。そして、取得した画像処理パラメータＰにより画像データＳ０に対して画像処理を施して、処理済み画像データＳ１を得、これをモニタ４に表示する。【選択図】図１
2008289923.tif 000002
【特許請求の範囲】
【請求項１】
医用画像データにより表される医用画像をモニタに表示する画像表示方法において、
前記医用画像データにより表される医用画像に関する医用説明情報の入力を受け付け、
該医用説明情報に応じて、前記医用画像に関連する少なくとも１つの参照画像の表示の有無を切り替えることを特徴とする画像表示方法。
【請求項２】
医用画像データにより表される医用画像をモニタに表示する画像表示装置において、
前記医用画像データにより表される医用画像に関する医用説明情報の入力を受け付ける入力手段と、
該医用説明情報に応じて、前記医用画像に関連する少なくとも１つの参照画像の表示の有無を切り替える切替手段とを備えたことを特徴とする画像表示装置。
【請求項３】
医用画像データにより表される医用画像をモニタに表示する画像表示方法をコンピュータに実行させるためのプログラムにおいて、
前記医用画像データにより表される医用画像に関する医用説明情報の入力を受け付ける手順と、
該医用説明情報に応じて、前記医用画像に関連する少なくとも１つの参照画像の表示の有無を切り替える手順とを有することを特徴とするプログラム。
【発明の詳細な説明】
【技術分野】
【０００１】
本発明は、医用画像をモニタに表示する画像表示方法および装置並びに画像表示方法をコンピュータに実行させるためのプログラムに関するものである。
【背景技術】
【０００２】
従来より医用画像の分野において、病院内の画像サーバに患者の放射線画像を表す画像データを複数保管し、画像サーバとネットワークを介して接続された端末からの要求に応じて、画像データを端末に転送して表示するようにしたシステムが知られている。このようなシステムにおいては、ＣＲ（コンピューテッド・ラジオグラフィ）装置、ＣＴ（コンピュータ断層像撮影）装置、ＭＲＩ（磁気共鳴像撮影）装置等の入力モダリティにおいて患者を撮影することにより得られた画像データを患者毎および検査毎にまとめて画像サーバに記憶するようにしている。この際、画像データには、必要に応じて周波数強調処理、階調処理、ダイナミックレンジ圧縮処理等の画像処理が施される。あるいは、その画像処理を行うための画像処理パラメータが付与される。そして、医師は画像サーバから患者の画像データを自分の端末に転送し、必要であれば画像処理パラメータにより画像処理を施して画像を表示し、表示された画像を観察しながら診断を行う。
【０００３】
一方、互いに異なった条件で撮影された複数の医用画像の差に対応する画像を得るエネルギーサブトラクション処理も行われている。このエネルギーサブトラクション処理は、具体的には複数の医用画像間において画素を対応させた減算処理を行うことにより、医用画像中の特定の被写体部分のみを強調または抽出した画像を得る処理である。
【０００４】
また、疾病の治癒状況や進行状況を確認するために、最新の検査において得られた医用画像および過去の検査において得られた医用画像について、画像間で画素を対応させた減算処理を行って、医用画像間の差異を抽出するいわゆる経時サブトラクション処理も行われている。このように画像間の差異のみを抽出することにより、読影者に対して画像間の差異を確実に視認させることができるため、治癒または進行する病変部の見落としを防止することができる。
【０００５】
上述したようなシステムにおいては、入力モダリティにおいて得られた画像データ（エネルギーサブトラクション処理あるいは経時サブトラクション処理により得られた画像データを含む）は、画像サーバに保管された後、読影を専門に行うための放射線医師により読影される。この読影は、放射線医師が自身の端末に診断対象となる画像データを表示し、所見、疾患の程度、病巣の進行の程度等を記述した読影レポートおよび／または電子カルテを作成することにより行われる。なお、作成された電子カルテは、読影した画像データと対応付けられて画像サーバに保管される。
【０００６】
一方、患者への診断結果の説明は、患者と直接接する内科あるいは外科の臨床医師が行う。この場合、臨床医師は自身の端末に画像データを表示し、読影レポートおよび／または電子カルテを参照して疾患名、所見、疾患の程度、病巣の進行の程度、治療方法等の説明を行う。
【発明の開示】
【発明が解決しようとする課題】
【０００７】
しかしながら、説明を受ける患者は、疾病による異常部位を含む画像を見ても、正常な画像を知らないため、画像中のどの部分に異常があるかを容易に認識することができない。また、異常部位は他の部位と比較して画像データの信号値が微小に変化する部分であるが、その信号値の変化を濃淡の変化として画像から読み取ることは患者には困難である。さらに、異常部位は微小な部位であることが多いため画像上の異常部位を発見することも困難である。
【０００８】
このため、患者が理解し易いように画像データに対して画像処理を施すことが考えられる。しかしながら、臨床医師は画像処理の専門家ではないため、画像データに対して患者が容易に理解できるような最適な画像処理を施すことは困難である。また、画像データに対してこのような最適な画像処理を施すことは、臨床医師にとっては新たな作業負荷が生じることとなるため、好ましくない。
【０００９】
本発明は上記事情に鑑みなされたものであり、患者に対する診断結果の説明を容易に行うようにすることを目的とするものである。
【課題を解決するための手段】
【００１０】
本発明による第１の画像処理方法は、医用画像データに対して画像処理を施して処理済み画像データを得、該処理済み画像データにより表される処理済み医用画像をモニタに表示する画像表示方法において、
前記医用画像データにより表される医用画像に関する医用説明情報の入力を受け付け、
該医用説明情報に応じた画像処理パラメータにより該医用画像データに対して前記画像処理を施すことを特徴とするものである。
【００１１】
「画像処理」とは、具体的には階調処理、周波数強調処理、ダイナミックレンジ圧縮処理、拡大処理および濃度変換処理等が挙げられる。
【００１２】
「画像処理パラメータ」とは、画像データに対して階調処理、周波数強調処理、ダイナミックレンジ圧縮処理、拡大処理および濃度変換処理等を施す際に必要なパラメータをいう。具体的には、階調処理における階調変換曲線の傾き、周波数強調処理における周波数強調処理の程度を表す強調係数、ダイナミックレンジ圧縮処理における圧縮の程度を表す係数、拡大処理における拡大率、濃度変換処理における濃度変換量を表す係数をパラメータとして用いることができる。
【００１３】
「モニタ」としては、ＣＲＴディスプレイ、液晶ディスプレイあるいはプラズマディスプレイ等、画像を表示可能なものであればいかなるものであってもよい。
【００１４】
「医用説明情報」とは、検査方法、所見、疾患名、疾患の程度（軽度または重度）、撮影部位、撮影方法および／または疾患の進行度合い等を表す情報をいう。
【００１５】
なお、医用説明情報の入力の受け付けは、キーボードやマウスからのものであってもよく、電子カルテが作成されている場合は電子カルテに記述された医用説明情報を取得することによるものであってもよい。
【００１６】
「医用説明情報に応じた画像処理パラメータ」とは、患者に対して診断結果を説明し易いように医用画像データに対して画像処理を施すことが可能なパラメータをいう。具体的には、病変部における微小な信号変化を強調することができるように画像処理を施すことが可能なパラメータをいう。
【００１７】
本発明による第２の画像表示方法は、医用画像データに対して画像処理を施して処理済み画像データを得、該処理済み画像データにより表される処理済み医用画像をモニタに表示する画像表示方法において、
前記医用画像データにより表される医用画像に関する医用説明情報の入力を受け付け、
該医用説明情報に応じた複数種類の前記画像処理についての画像処理パラメータにより、該医用画像データに対して該複数種類の画像処理を施すことを特徴とするものである。
【００１８】
本発明による第３の画像表示方法は、医用画像データに対して画像処理を施して処理済み画像データを得、該処理済み画像データにより表される処理済み医用画像をモニタに表示する画像表示方法において、
前記医用画像データにより表される医用画像について、所見を得た該医用画像中の所見領域および前記所見の入力を受け付け、
前記所見領域を表す領域情報および前記所見に基づいて、前記医用画像データに対して前記画像処理を施すことを特徴とするものである。
【００１９】
ここで、通常医用画像を読影する際には、病変部を観察して所見を作成する。したがって、「所見領域」とは、所見を得た病変部が含まれる医用画像中の所定範囲の領域を意味する。なお、電子カルテを作成する際に作成される所見に、所見領域を定める情報（例えば所見領域が矩形である場合には４隅の座標値）を含ませるようにしてもよい。この場合、所見の入力を受け付けることにより、所見および所見領域の双方の入力を同時に受け付けることができる。
【００２０】
なお、本発明による第３の画像表示方法における「画像処理」は、所見領域内の診断結果を患者に説明し易くすることが可能な処理であり、所見領域内の画像データに対してのみ施すものであっても、医用画像データ全体に施すものであってもよい。
【００２１】
本発明による第４の画像表示方法は、医用画像データにより表される医用画像をモニタに表示する画像表示方法において、
前記医用画像データにより表される医用画像に関する医用説明情報の入力を受け付け、
該医用説明情報に応じて、前記医用画像に関連する少なくとも１つの参照画像の表示の有無を切り替えることを特徴とするものである。
【００２２】
「参照画像」とは、医用画像を表示して患者に診断結果を説明する際に参照する画像であり、参照画像を参照することにより医用画像についての診断結果の説明を容易に行うことができるような類のものである。例えば、医用画像データを用いて過去の画像データとの経時サブトラクション処理を行った場合には、経時サブトラクション画像および過去の画像を参照画像として用いることができる。
【００２３】
なお、参照画像を使用しなくても患者への診断結果の説明を容易に行うことができる場合は、参照画像を表示しない方がモニタにおいて医用画像を大きく表示できるため、患者への説明を行い易いものである。本発明による第４の画像表示方法は、このような場合には参照画像を表示しないようにするために、医用説明情報に応じて、参照画像の表示の有無を切り替えるようにしたものである。
【００２４】
本発明による第５の画像表示方法は、複数の医用画像データにより表される複数の医用画像を所定の順序および／または所定のレイアウトによりモニタに表示する画像表示方法において、
前記複数の医用画像についての医用説明情報の入力を受け付け、
該医用説明情報に応じて、前記所定の順序および／または前記所定のレイアウトを設定することを特徴とするものである。
【００２５】
「所定の順序および／または所定のレイアウトを設定する」とは、患者に対して診断結果を説明し易いように複数の医用画像を表示する順序および／または複数の医用画像を表示するレイアウトを設定することをいう。
【００２６】
本発明による第６の画像表示方法は、医用画像データにより表される医用画像をモニタに表示する画像表示方法において、
前記医用画像に関する医用説明情報に基づいて、種々の部位についての複数の正常画像を記憶した記憶手段から、前記医用画像に含まれる異常部位に該当する部位を含む該当正常画像を選択し、
該該当正常画像を前記医用画像とともに表示することを特徴とするものである。
【００２７】
「該当正常画像と医用画像とともに表示する」とは、該当正常画像と医用画像とを並べて表示するものであってもよく、該当正常画像と医用画像とを順次切り替えて表示するものであってもよい。
【００２８】
本発明による第１の画像表示装置は、医用画像データに対して画像処理を施して処理済み画像データを得、該処理済み画像データにより表される処理済み医用画像をモニタに表示する画像表示装置において、
前記医用画像データにより表される医用画像に関する医用説明情報の入力を受け付ける入力手段と、
該医用説明情報に応じた画像処理パラメータにより該医用画像データに対して前記画像処理を施す画像処理手段とを備えたことを特徴とするものである。
【００２９】
本発明による第２の画像表示装置は、医用画像データに対して画像処理を施して処理済み画像データを得、該処理済み画像データにより表される処理済み医用画像をモニタに表示する画像表示装置において、
前記医用画像データにより表される医用画像に関する医用説明情報の入力を受け付ける入力手段と、
該医用説明情報に応じた複数種類の前記画像処理についての画像処理パラメータにより、該医用画像データに対して該複数種類の画像処理を施す画像処理手段とを備えたことを特徴とするものである。
【００３０】
本発明による第３の画像表示装置は、医用画像データに対して画像処理を施して処理済み画像データを得、該処理済み画像データにより表される処理済み医用画像をモニタに表示する画像表示装置において、
前記医用画像データにより表される医用画像について、所見を得た該医用画像中の所見領域および前記所見の入力を受け付ける入力手段と、
前記所見領域を表す領域情報および前記所見に基づいて、前記医用画像データに対して前記画像処理を施す画像処理手段とを備えたことを特徴とするものである。
【００３１】
本発明による第４の画像表示装置は、医用画像データにより表される医用画像をモニタに表示する画像表示装置において、
前記医用画像データにより表される医用画像に関する医用説明情報の入力を受け付ける入力手段と、
該医用説明情報に応じて、前記医用画像に関連する少なくとも１つの参照画像の表示の有無を切り替える切替手段とを備えたことを特徴とするものである。
【００３２】
本発明による第５の画像表示装置は、複数の医用画像データにより表される複数の医用画像を所定の順序および／または所定のレイアウトによりモニタに表示する画像表示装置において、
前記複数の医用画像についての医用説明情報の入力を受け付ける入力手段と、
該医用説明情報に応じて、前記所定の順序および／または前記所定のレイアウトを設定するレイアウト設定手段とを備えたことを特徴とするものである。
【００３３】
本発明による第６の画像表示装置は、医用画像データにより表される医用画像をモニタに表示する画像表示装置において、
前記医用画像に関する医用説明情報に基づいて、種々の部位についての複数の正常画像を記憶した記憶手段と、
該記憶手段から前記医用画像に含まれる異常部位に該当する部位を含む該当正常画像を選択する選択手段と、
該該当正常画像を前記医用画像とともに表示する表示手段とを備えたことを特徴とするものである。
【００３４】
なお、本発明による画像表示方法をコンピュータに実行させるためのプログラムとして提供してもよい。
【発明の効果】
【００３５】
本発明による第１の画像表示方法および装置によれば、医用説明情報に応じた画像処理パラメータにより医用画像データに対して画像処理が施される。また、本発明による第２の画像表示方法および装置によれば、医用説明に応じた複数種類の画像処理についての画像処理パラメータにより、医用画像データに対して複数種類の画像処理が施される。このため、診断結果の説明を容易に行うことができる処理済み画像を再現可能な処理済み画像データを得ることができ、処理済み画像を参照することにより、患者は診断結果を容易に認識することができる。また、患者に診断結果を説明する臨床医師は画像処理に関する専門的な知識を有する必要がなくなり、これにより、臨床医師の負担も軽減することができる。
【００３６】
本発明による第３の画像表示方法および装置によれば、所見領域内の画像データおよび所見に基づいて、医用画像データに対して画像処理が施される。このため、所見を得た所見領域内の画像に対して、患者に対して診断結果の説明を容易に行うことができるような画像処理を施すことができ、これにより、患者は診断結果を容易に認識することができる。また、患者に診断結果を説明する臨床医師は画像処理に関する専門的な知識を有する必要がなくなり、これにより、臨床医師の負担も軽減することができる。
【００３７】
本発明による第４の画像表示方法および装置によれば、医用説明情報に応じて、医用画像に関連する少なくとも１つの参照画像の表示の有無が切り替えられる。したがって、参照画像を使用した方が患者への説明が容易な場合には参照画像が表示されるため、患者への診断結果の説明を容易に行うことができる。一方、参照画像を使用しなくても患者への説明を容易に行うことができる場合には、参照画像の表示はなされない。したがって、医用画像をモニタに大きく表示することができ、さらには画面を切り替えたり複数のモニタに画像を表示する手間を省略することができる。
【００３８】
本発明による第５の画像表示方法および装置によれば、医用説明情報に応じて複数の医用画像の表示の順序および／またはレイアウトが設定される。このため、診断結果を患者に説明し易いように、複数の医用画像の表示の順序および／または表示のレイアウトを設定することができ、これにより、医師は患者への診断結果の説明を容易に行うことができる。
【００３９】
本発明による第６の画像表示方法および装置によれば、異常部位を含む医用画像と該当正常画像とが表示されることとなる。このため、患者は異常部位と正常部位とを比較を容易に行うことができ、また医師は患者への診断結果の説明を容易に行うことができる。
【発明を実施するための最良の形態】
【００４０】
以下図面を参照して本発明の実施形態について説明する。
【００４１】
図１は本発明の第１の実施形態による画像表示装置の構成を示す概略ブロック図である。図１に示すように、本発明の第１の実施形態による画像表示装置は、画像データＳ０についての読影結果を表す所見の入力を受け付ける入力手段１と、種々の所見と画像処理パラメータＰとを対応付けたテーブルＴを記憶した記憶手段２と、入力手段１から入力された所見に基づいて、記憶手段２に記憶されたテーブルＴを参照して、後述するように画像データＳ０に対して画像処理を施して処理済み画像データＳ１を得る画像処理手段３と、処理済み画像データＳ１を表示するモニタ４とを備える。
【００４２】
画像データＳ０は、不図示の画像データベースに保管されたものであってもよく、メディアに記録されたものであってもよい。
【００４３】
入力手段１は、キーボードやマウスのように、読影レポートや電子カルテに記載された所見をマニュアル操作により入力するものであってもよく、不図示の画像データベースに保管された、あるいはメディアに記録されて提供された電子カルテに記述された所見を読み出して、画像処理手段３に入力するものであってもよい。
【００４４】
記憶手段２に記憶されたテーブルＴは、本実施形態においては、胸部の間質性疾患、肺癌、結核、肺炎、肺気腫等の胸部診断における代表的な症状についての所見と、患者に対する診断結果の説明を容易に行うことができるように画像データＳ０に対して画像処理を施す画像処理パラメータＰ（以下最適画像処理パラメータとする）とを対応付けたテーブルである。
【００４５】
画像処理手段３は、入力手段１において入力された所見に基づいて、記憶手段２に記憶されたテーブルＴを参照して画像データＳ０に施す画像処理についての最適画像処理パラメータＰを取得し、取得された最適画像処理パラメータＰにより画像データＳ０に対して画像処理を施して処理済み画像データＳ１を得るものである。なお、第１の実施形態においては、画像処理手段１においては、１種類の画像処理が画像データＳ０に対して施される。
【００４６】
ここで、例えば胸部の間質性疾患、肺癌、結核、肺炎、肺気腫等の胸部診断における代表的な症状と、何ら症状のない正常な例について、放射線医師による評価の結果、「淡い湿潤影」と、「結節」、「網状影」および「粒状影」とでは、疾患が見易くなる画像処理パラメータが異なることが分かった。例えば、画像処理が周波数強調処理の場合、「淡い湿潤影」に対しては周波数強調処理の強調の程度を弱くした方が好ましく、「結節」、「網状影」および「粒状影」（以下結節等とする。）に対しては、強調の程度を強くした方がよいことが好ましいことが分かった。また、画像処理が階調処理の場合、「淡い湿潤影」に対しては高コントラストとなるようにした方が好ましく、「結節等」に対しては、コントラストを低くした方がよいことが好ましいことが分かった。
【００４７】
したがって、画像処理が周波数強調処理の場合、テーブルＴは、「淡い湿潤影」と、強調の程度が弱いまたは強調をしないような画像処理パラメータＰとを対応付け、「結節等」と強調の程度が強い画像処理パラメータＰとを対応付けたものとなる。また、画像処理が階調処理の場合、テーブルＴは、「淡い湿潤影」と、コントラストを高くする画像処理パラメータＰとを対応付け、「結節等」とコントラストを低くする画像処理パラメータＰとを対応付けたものとなる。
【００４８】
モニタ４は、ＣＲＴモニタ、液晶モニタ、プラズマディスプレイ等の画面に画像データを表示するものである。
【００４９】
次いで、第１の実施形態の動作について説明する。図２は第１の実施形態の動作を示すフローチャートである。まず、所見の入力を受け付け（ステップＳ１）、入力された所見に基づいて、記憶手段２に記憶されたテーブルＴを参照して、最適画像処理パラメータＰを取得する（ステップＳ２）。そして、取得した最適画像処理パラメータＰにより画像データＳ０に対して画像処理を施して処理済み画像データＳ１を得る（ステップＳ３）。処理済み画像データＳ１により表される処理済み画像はモニタ４において表示され（ステップＳ４）、患者への診断の説明に供される。
【００５０】
このように、第１の実施形態においては、所見に応じた最適画像処理パラメータＰにより画像データＳ０に対して画像処理を施すようにしたため、診断結果の説明を容易に行うことができる処理済み画像を再現可能な処理済み画像データＳ１を得ることができ、処理済み画像を参照すれば、患者は診断結果を容易に認識することができる。また、患者に診断結果を説明する臨床医師は画像処理に関する専門的な知識を有する必要がなくなり、これにより、臨床医師の負担をも軽減することができる。
【００５１】
次いで、本発明の第２の実施形態について説明する。図３は本発明の第２の実施形態による画像表示装置の構成を示す概略ブロック図である。なお、第２の実施形態において第１の実施形態と同一の構成については同一の番号を付し、詳細な説明は省略する。第２の実施形態においては、２種類の画像処理を行う画像処理手段３′を備えた点が第１の実施形態と異なるものである。
【００５２】
なお、第２の実施形態においては、記憶手段２に記憶されるテーブルＴは、所見と、２種類の画像処理の組み合わせおよび２種類の画像処理のそれぞれについての画像処理パラメータＰとを対応付けたものである。ここで、２種類の画像処理の組み合わせとしては、例えば周波数強調処理と階調処理、周波数強調処理とダイナミックレンジ圧縮処理、ダイナミックレンジ圧縮処理と階調処理等が挙げられ、各組み合わせにおける画像処理についての画像処理パラメータＰがテーブルＴとして記憶手段２に記憶されているものである。
【００５３】
次いで、第２の実施形態の動作について説明する。図４は第２の実施形態の動作を示すフローチャートである。まず、所見の入力を受け付け（ステップＳ１１）、入力された所見に基づいて、記憶手段２に記憶されたテーブルＴを参照して、２種類の画像処理の組み合わせおよびこの組み合わせについての最適画像処理パラメータＰを取得する（ステップＳ１２）。そして、取得した最適画像処理パラメータＰにより画像データＳ０に対して２種類の画像処理を施して処理済み画像データＳ１を得る（ステップＳ１３）。処理済み画像データＳ１により表される処理済み画像はモニタ４において表示され（ステップＳ１４）、患者への診断の説明に供される。
【００５４】
このように、第２の実施形態においては、所見に応じた２種類の画像処理についての画像処理パラメータＰにより画像データＳ０に対して２種類の画像処理を施すようにしたため、診断結果の説明を容易に行うことができるような処理済み画像を再現可能な処理済み画像データＳ１を得ることができ、患者は診断結果を容易に認識することができる。また、患者に診断結果を説明する臨床医師は画像処理に関する専門的な知識を有する必要がなくなり、これにより、臨床医師の負担をも軽減することができる。
【００５５】
なお、上記第２の実施形態においては、画像データＳ０に対して２種類の画像処理を施しているが、３種類以上の画像処理を施してもよい。
【００５６】
また、上記第１および第２の実施形態においては、１つの画像データＳ０について複数の所見が得られる場合がある。このような場合は、所見に応じて画像処理パラメータＰを取得して画像データＳ０に対して画像処理を施し、所見毎の処理済み画像データＳ１を得るようにすればよい。そして、所見毎の処理済み画像データＳ１により表される処理済み画像をモニタ４において表示すればよい。この際、所見毎の処理済み画像を並べて表示してもよく、順次切り替えて表示してもよい。
【００５７】
さらに、上記第１および第２の実施形態においては、所見と画像処理パラメータＰとを対応付けたテーブルＴを用いて、所見に応じた画像処理パラメータＰにより画像処理を行っているが、検査方法、所見、疾患名、疾患の程度（軽度または重度）、撮影部位、撮影方法および／または疾患の進行度合い等の他の医用説明情報と画像処理パラメータＰとを対応付けたテーブルＴを用いてもよい。この場合、入力手段１において医用説明情報の入力を受け付け、入力された医用説明情報に基づいてテーブルＴを参照して最適画像処理パラメータＰを取得すればよい。
【００５８】
次いで、本発明の第３の実施形態について説明する。図５は本発明の第３の実施形態による画像表示装置の構成を示す概略ブロック図である。なお、第３の実施形態において第１の実施形態と同一の構成については同一の番号を付し、詳細な説明は省略する。第３の実施形態においては、画像データＳ０により表される画像中において所見を得た病変部を含む領域（所見領域とする）を表す領域情報の入力を入力手段１において受け付け、画像処理手段３において、所見領域および所見に応じた画像処理を画像データＳ０に対して施すようにした点が第１の実施形態と異なるものである。
【００５９】
なお、第３の実施形態においては、記憶手段２に記憶されるテーブルＴは、所見および所見領域と画像データＳ０に対して施す画像処理の画像処理パラメータＰとを対応付けたものである。
【００６０】
ここで、胸部の医用画像における肺野領域内に腫瘤陰影がある場合と、縦隔領域内に腫瘤陰影がある場合とでは、患者に対する診断結果の説明を容易に行うことができるように画像処理を施すことが可能な最適画像処理パラメータＰが異なる。すなわち、肺野領域と縦隔領域とでは、撮影時の放射線透過量が異なるため、肺野領域のコントラストを最適なものとすると縦隔領域が高輝度側に飽和してしまい、縦隔領域の情報を認識しずらくなる。したがって、第３の実施形態においては、所見領域および所見とその所見領域について最適な画像処理パラメータＰとを対応付けたテーブルＴを記憶手段２に記憶しておき、このテーブルＴを参照して、所見領域および所見に最適な画像処理パラメータＰにより、画像データＳ０に対して画像処理を施すようにしたものである。
【００６１】
なお、所見領域を表す領域情報は、例えば所見領域が矩形の場合、４隅を特定する座標値として入力手段１において入力を受け付ければよい。また、所見領域に応じて画像データＳ０における信号値の分布が異なることが多いため、入力手段１において入力される所見に「肺野」や「縦隔」のような所見領域を表すキーワードが含まれている場合には、所見から所見領域を表す領域情報を得てもよい。
【００６２】
次いで、第３の実施形態の動作について説明する。図６は第３の実施形態の動作を示すフローチャートである。まず、所見および所見領域を表す領域情報の入力を受け付け（ステップＳ２１）、入力された所見および領域情報に基づいて、記憶手段２に記憶されたテーブルＴを参照して、所見および所見領域に応じた最適画像処理パラメータＰを取得する（ステップＳ２２）。そして、取得した最適画像処理パラメータＰにより画像データＳ０に対して画像処理を施して処理済み画像データＳ１を得る（ステップＳ２３）。処理済み画像データＳ１により表される処理済み画像はモニタ４において表示され（ステップＳ２４）、患者への診断の説明に供される。
【００６３】
このように、第３の実施形態においては、所見領域を表す領域情報および所見に基づいて、画像データＳ０に対して画像処理を施すようにしたため、所見を得た所見領域内の画像に対して、患者への診断結果の説明を容易に行うことができるような画像処理を施すことができ、これにより、患者は診断結果を容易に認識することができる。また、患者に診断結果を説明する臨床医師は画像処理に関する専門的な知識を有する必要がなくなり、これにより、臨床医師の負担をも軽減することができる。
【００６４】
なお、第３の実施形態においては、画像データＳ０に対して画像処理を施しているが、所見領域内の画像データに対してのみ画像処理を施すようにしてもよい。
【００６５】
また、第３の実施形態においては、所見領域内の画像を拡大する画像処理（すなわち拡大処理）を施すようにしてもよい。ここで、拡大処理としては、線形補間演算、スプライン補間等の高次補間演算、エッジ部についてはシャープネスを強調し、平坦部においては滑らかさを強調する補間演算（特開平９−３２１９８１号参照）等の種々の方法を用いることができる。なお、拡大率は所見に応じて決定すればよい。
【００６６】
次いで、本発明の第４の実施形態について説明する。図７は本発明の第４の実施形態による画像表示装置の構成を示す概略ブロック図である。なお、第４の実施形態において第１の実施形態と同一の構成については同一の番号を付し、詳細な説明は省略する。第４の実施形態においては、サブトラクション手段６において、２つの画像データＳ１１，Ｓ１２についてのサブトラクション画像を表すサブトラクション画像データＳｓｕｂを得、画像データＳ１１，Ｓ１２およびサブトラクション画像データＳｓｕｂを画像データベース７に記憶しておき、切替手段８において、入力手段１において入力された所見に応じて、モニタ４に表示する画像以外の参照画像（ここではサブトラクション画像データＳｓｕｂにより表される画像）の表示の有無を切り替えるようにした点が第１の実施形態と異なる。
【００６７】
サブトラクション手段６においては、エネルギーサブトラクション処理または経時サブトラクション処理が行われる。ここで、エネルギーサブトラクション処理を行う場合には、画像データＳ１１，Ｓ１２は、それぞれエネルギーの異なる放射線を用いて被写体の撮影を行うことにより得られる。そして、画像データＳ１１，Ｓ１２により表される画像の対応する画素間において減算処理を行うエネルギーサブトラクション処理を行って、サブトラクション画像データＳｓｕｂを得る。なお、エネルギーサブトラクションを行う場合には、被写体に含まれる骨部を表す骨部画像および軟部を表す軟部画像をそれぞれ表す２つのサブトラクション画像データＳｓｕｂ１，Ｓｓｕｂ２が得られる。
【００６８】
一方、経時サブトラクション処理を行う場合には、画像データＳ１１，Ｓ１２は、過去の検査において得られた画像および最新の検査において得られた画像をそれぞれ表すものとなる。そして、画像データＳ１１，Ｓ１２により表される画像の対応する画素間において減算処理を行う経時サブトラクション処理を行って、サブトラクション画像データＳｓｕｂを得る。
【００６９】
ここで、サブトラクション手段６においてエネルギーサブトラクション処理を行った場合、通常は画像データＳ１１，Ｓ１２のいずれか一方以外に、軟部画像および骨部画像の双方を参照画像として画像データベース７から取得してモニタ４に表示するが、入力手段１において入力された所見が「石灰化」である場合、軟部画像を表示しても石灰化部分を特定することは困難である。したがって、切替手段８は、入力手段１において入力された所見が「石灰化」である場合には、軟部画像を表すサブトラクション画像データＳｓｕｂ２を取得することなく、画像データＳ１１，Ｓ１２のいずれか一方および骨部画像を表すサブトラクション画像データＳｓｕｂ１のみを取得してモニタ４に表示する。
【００７０】
ここで、被写体を表す放射線画像情報を蓄積性蛍光体シートに蓄積記録し、励起光を照射して輝尽発光光を発生させ、この輝尽発光光を光電的に検出することにより画像データを得る場合、エネルギーサブトラクション処理を行う２つの画像データＳ１１，Ｓ１２を得る態様としては、２枚の蓄積性蛍光体シートの間に銅板のようなエネルギーを吸収する部材を設け、被写体を透過した放射線を２枚の蓄積性蛍光体シートに一度に照射する１ショット法（特開昭５９−８３４８６号参照）、２枚の蓄積性蛍光体シートに被写体を透過した高エネルギーおよび低エネルギーの放射線をそれぞれ照射する２ショット法（特開昭６０−２２５５４１号参照）が挙げられる。本実施形態においては、１ショット法により画像データＳ１１，Ｓ１２を得た場合には、被写体に近い側の蓄積性蛍光体シートから得られた低エネルギーの放射線に基づく画像データを、２ショット法により画像データＳ１１，Ｓ１２を得た場合には、高エネルギーの放射線に基づく画像データをモニタ４に表示する。
【００７１】
一方、サブトラクション手段６において経時サブトラクション処理を行った場合においては、最新の画像データＳ１２に加えて通常はサブトラクション画像データＳｓｕｂが参照画像としてモニタ４に表示される。しかしながら、入力手段１において入力された所見が「疾患なし」や、「進行に変化なし」である場合には、サブトラクション画像データＳｓｕｂにより表される画像には、位置ずれによるアーチファクトのみが含まれ、患者に説明できるような有効な情報は含まれない。したがって、切替手段８は、入力手段１において入力された所見が「疾患なし」や「進行に変化なし」である場合には、サブトラクション画像データＳｓｕｂを取得することなく、最新の画像データＳ１２により表される画像のみを画像データベース７から取得してモニタ４に表示する。
【００７２】
次いで、第４の実施形態の動作について説明する。図８は第４の実施形態の動作を示すフローチャートである。なお、ここではサブトラクション手段６においてエネルギーサブトラクション処理を行うことにより得られた骨部画像および軟部画像をそれぞれ表すサブトラクション画像データＳｓｕｂ１，Ｓｓｕｂ２並びに画像データＳ１１，Ｓ１２が画像データベース７に保管されているものとする。
【００７３】
まず、画像データＳ１１またはＳ１２の取得の指示および所見の入力を入力手段１において受け付ける（ステップＳ３１）。切替手段８は入力された所見に基づいて参照画像（すなわち骨部画像および軟部画像）の表示の有無を切り替える（ステップＳ３２）。例えば、所見が「石灰化」であれば、骨部画像のみをモニタ４に表示するために、骨部画像を表すサブトラクション画像データＳｓｕｂ１のみを画像データベース７から読み出す。また、所見が「石灰化」以外であれば、骨部画像および軟部画像の双方をモニタ４において表示するために、骨部画像および軟部画像の双方を表すサブトラクション画像データＳｓｕｂ１，Ｓｓｕｂ２を画像データベース７から取得する。そして、取得された画像データＳ１１またはＳ１２により表される画像および参照画像はモニタ４において表示され（ステップＳ３３）、患者への診断の説明に供される。
【００７４】
なお、第４の実施形態におけるモニタ４での表示の態様は、図９に示すように、１つの画面に複数の画像を表示するものであってもよいが、図１０に示すように、複数の画像を順次切り替えて表示するものであってもよい。また、モニタ４を複数有する場合には、各モニタ４に１つの画像を表示するようにしてもよい。
【００７５】
このように、第４の実施形態においては、所見に応じて、表示しようとする画像に関連する少なくとも１つの参照画像の表示の有無を切り替えるようにしたため、参照画像を使用した方が患者への説明が容易な場合には参照画像が表示され、患者への診断結果の説明を容易に行うことができる。一方、参照画像を使用しなくても患者への説明を容易に行うことができる場合には、参照画像の表示はなされないこととなる。したがって、画像をモニタ４に大きく表示することができ、さらには画面を切り替えたり複数のモニタ４に表示するための手間を省略することができる。
【００７６】
次いで、本発明の第５の実施形態について説明する。図１１は本発明の第５の実施形態による画像表示装置の構成を示す概略ブロック図である。なお、第５の実施形態において第１の実施形態と同一の構成については同一の番号を付し、詳細な説明は省略する。第５の実施形態においては、複数の画像データＳｎを保管する画像データベース１７と、画像データベース１７に保管された複数の画像データＳｎにより表される複数の画像をモニタ４に表示する際に、入力手段１において入力された所見に応じて、モニタ４に表示される複数の画像の表示レイアウトを設定するレイアウト設定手段９とを備えた点が第１の実施形態と異なる。
【００７７】
ここで、モニタ４に表示すべき画像が上記第４の実施形態において説明したエネルギーサブトラクション処理により得られたものであり、所見が「石灰化」である場合には、骨部画像を観察することにより石灰化の部分を容易に認識できる。したがって、複数の画像データＳｎがエネルギーサブトラクション処理を行った画像データ、並びに軟部画像および骨部画像を表すサブトラクション画像データである場合において、所見が「石灰化」である場合には、図１２に示すように、骨部画像が最も大きく表示されるように、レイアウト設定手段９においてレイアウトを設定する。
【００７８】
次いで、第５の実施形態の動作について説明する。図１３は第５の実施形態の動作を示すフローチャートである。まず、複数の画像データＳｎの取得の指示および所見の入力を入力手段１において受け付ける（ステップＳ４１）。レイアウト変更手段９は入力された所見に基づいて複数の画像データＳｎの表示レイアウトを設定する（ステップＳ４２）。そして、複数の画像データＳｎは設定されたレイアウトによりモニタ４において表示され（ステップＳ４３）、患者への診断の説明に供される。
【００７９】
このように、第５の実施形態においては、所見に応じて複数の画像の表示レイアウトを設定するようにしたため、患者への診断結果の説明を容易に行うことができる。
【００８０】
なお、上記第５の実施形態においては、入力された所見に応じて、複数の画像データＳｎの表示レイアウトを設定しているが、複数の画像データＳｎの表示の順序を設定してもよい。
【００８１】
また、上記第３の実施形態において、所見領域に対して拡大処理を施した場合には、元の画像と拡大後の画像との表示レイアウトを設定してもよい。この場合、表示レイアウトとしては、元の画像および拡大画像を並べて表示するものとしてもよく、順次切り替えて表示するものとしてもよい。さらには、拡大前の画像における不要な領域（例えば直接放射線が照射されたすぬけ部）に拡大後の画像を重ねて表示するレイアウトとしてもよい。
【００８２】
次いで、本発明の第６の実施形態について説明する。図１４は本発明の第６の実施形態による画像表示装置の構成を示す概略ブロック図である。なお、第６の実施形態において第１の実施形態と同一の構成については同一の番号を付し、詳細な説明は省略する。第６の実施形態においては、表示の対象となる画像データＳ２０および種々の部位についての複数の正常画像を表す正常画像データＳ２１を保管する画像データベース２７と、画像データベース２７に保管された画像データＳ２０を表示する際に、入力手段１から入力された撮影部位に基づいて、その撮影部位についての疾病のない状態を表す正常画像データＳ２１を画像データベース２７から選択して、画像データＳ２０および画像データＳ２１をモニタ４に表示する制御手段１０とを備えた点が第１の実施形態と異なる。なお、制御手段１０が選択手段に対応する。
【００８３】
次いで、第６の実施形態の動作について説明する。図１５は第５の実施形態の動作を示すフローチャートである。まず、画像データＳ２０の表示指示および撮影部位の入力を入力手段１において受け付ける（ステップＳ５１）。制御手段１０は入力された撮影部位を表す情報に基づいて、画像データベース２７において、画像データＳ２０およびその撮影部位に対応する正常画像を表す正常画像データＳ２１を読み出す（ステップＳ５２）。そして、画像データＳ２０および正常画像データＳ２１はモニタ４において表示され（ステップＳ５３）、患者への診断の説明に供される。なお、画像データＳ２０により表される画像および正常画像は並べて表示してもよく、順次切り替えて表示してもよい。
【００８４】
このように、第６の実施形態においては、モニタ４には、異常部位を含む画像と正常画像とが表示されるため、患者は異常部位と正常部位との比較を容易に行うことができ、医師は患者への診断結果の説明を容易に行うことができる。
【図面の簡単な説明】
【００８５】
【図１】本発明の第１の実施形態による画像表示装置の構成を示す概略ブロック図
【図２】第１の実施形態の動作を示すフローチャート
【図３】本発明の第２の実施形態による画像表示装置の構成を示す概略ブロック図
【図４】第２の実施形態の動作を示すフローチャート
【図５】本発明の第３の実施形態による画像表示装置の構成を示す概略ブロック図
【図６】第３の実施形態の動作を示すフローチャート
【図７】本発明の第４の実施形態による画像表示装置の構成を示す概略ブロック図
【図８】第４の実施形態の動作を示すフローチャート
【図９】モニタにおける画像の表示態様を示す図（その１）
【図１０】モニタにおける画像の表示態様を示す図（その２）
【図１１】本発明の第５の実施形態による画像表示装置の構成を示す概略ブロック図
【図１２】画像の表示レイアウトの例を示す図
【図１３】第５の実施形態の動作を示すフローチャート
【図１４】本発明の第６の実施形態による画像表示装置の構成を示す概略ブロック図
【図１５】第６の実施形態の動作を示すフローチャート
【符号の説明】
【００８６】
１    入力手段
２    記憶手段
３，３′    画像処理手段
４    モニタ
６    サブトラクション手段
７，１７，２７    画像データベース
８    切替手段
９    レイアウト設定手段
１０    制御手段
【図１】
2008289923.tif 000003
【図２】
2008289923.tif 000004
【図３】
2008289923.tif 000005
【図４】
2008289923.tif 000006
【図５】
2008289923.tif 000007
【図６】
2008289923.tif 000008
【図７】
2008289923.tif 000009
【図８】
2008289923.tif 000010
【図９】
2008289923.tif 000011
【図１０】
2008289923.tif 000012
【図１１】
2008289923.tif 000013
【図１２】
2008289923.tif 000014
【図１３】
2008289923.tif 000015
【図１４】
2008289923.tif 000016
【図１５】
2008289923.tif 000017